(57)【要約】      （修正有）【課題】機器の高速配置転換を可能にするモジュール式機器取付台を提供する。【解決手段】機器は取付台へ固定される。互いに実質的に平行な多数のスロット２０、２５、３０を有する軌道１０を用いた軌道システムが、機器を固定することのできる複数の場所へ固定されている。パワー接続部及びデータ接続部が軌道システムと一体に含まれていて、パワー及びデータを機器へ取付台上のコネクタを通じて提供する。【選択図】図２
2017208354.tif 000002
【特許請求の範囲】
【請求項１】
軌道において、
複数のスロットを有する裏打板であって、各スロットは、互いに実質的に平行であり、
複数の開口領域、及び、
前記複数の開口領域を接続している複数のネックダウン領域、を備えている、複数のスロットを有する裏打板と、
前記裏打板に沿って前記複数のスロットの少なくとも１つに隣接して配置されている複数の電気接点部であって、当該複数の電気接点部の少なくとも１つは電源又はデータ源へ電気的に連結されている、複数の電気接点部と、を備えている軌道。
【請求項２】
前記裏打板は複数の配線管を含んでいる、請求項１に記載の軌道。
【請求項３】
電気伝導体が前記裏打板を通って前記複数の配線管の少なくとも１つの中へ通じることができるように前記複数のスロットに配置されている複数の配線管アクセス点を更に備えている請求項２に記載の軌道。
【請求項４】
前記複数の電気接点部は、銅、アルミニウム、銀、又は金である、請求項１に記載の軌道。
【請求項５】
前記複数の電気接点部は、条片又はパッドから選定されている、請求項１に記載の軌道。
【請求項６】
前記複数の電気接点部を絶縁するように前記軌道へ取り外し可能に連結されているカバーを更に備えている請求項１に記載の軌道。
【請求項７】
前記複数の電気接点部は、前記電源へ電気的に連結されている電気接点部のサブセット及び前記データ源又は複数データ源へ電気的に連結されている電気接点部の共存するサブセットを有している、請求項１に記載の軌道。
【請求項８】
取付台において、
後面と前面を有する取り付け板と、
前記取り付け板の前記後面へ連結されている少なくとも１つの取り付けスタッドであって、各取り付けスタッドは前記後面から外向きに延びている軸部分及びそれぞれの軸部分の遠位端に配置されている拡大頭部分を含んでいる、少なくとも１つの取り付けスタッドと、
機器を前記取付台の前記前面へ固定するために前記取り付け板を貫いて配置されている複数の機器取り付け場所と、
前記取り付け板へ固定されていて前記機器へ電気的に連結されている少なくとも１つの電気コネクタと、
解放機構であって、
前記取り付け板を貫いて配置されていて前記後面から外向きに伸びているロックピン、及び、
前記ロックピンへ動作可能に接続されている少なくとも１つの被解放ロックピン（locking pin released）、を備える解放機構と、を備えている取付台。
【請求項９】
前記少なくとも１つの電気コネクタは、前記後面上に配置されている少なくとも１つの端子台であり、前記少なくとも１つの端子台へ連結されている複数の電気ワイパを更に備えており、各電気ワイパは前記機器へ電気的に連結されている、請求項８に記載の取付台。
【請求項１０】
前記複数の電気ワイパは、電源へ電気的に連結されている電気ワイパのサブセット及びデータ源又は複数データ源へ電気的に連結されている電気ワイパの共存するサブセットを有している、請求項９に記載の取付台。
【請求項１１】
前記少なくとも１つの電気コネクタは、前記前面へ連結されていて前記機器へ電気的に連結されている複数の第１電気端子である、請求項８に記載の取付台。
【請求項１２】
前記取付台は電気アダプタを更に備えており、前記電気アダプタは、
第１面と第２面を有するコネクタ板と、
前記コネクタ板の前記第１面へ連結されている少なくとも１つの取り付けスタッドと、
前記コネクタ板の第２面へ連結されているロック機構であって、
前記コネクタ板を貫いて配置されていて前記第１面から外向きに延びているアダプタロックピン、
前記アダプタロックピンへ動作可能に連結されているハンドル、を備えているロック機構と、
データ源又は電源へ電気的に連結されている電気伝導体と、
前記コネクタ板へ取り付けられている複数の第２電気端子であって、前記電気アダプタが前記取付台に隣接して固定されると前記複数の第１電気端子が当該複数の第２電気端子と電気的に連結する、複数の第２電気端子と、を備えている、電気アダプタを更に備えている請求項１１に記載の取付台。
【請求項１３】
前記複数の第１電気端子及び前記複数の第２電気端子は、雄型プラグ及び雌型プラグのセット、電気伝導性リングのセット、電気伝導性パッドのセット、から選定されている、請求項１２に記載の取付台。
【請求項１４】
前記複数の第１電気端子及び前記複数の第２電気端子は、各々、前記電源へ電気的に連結されている電気端子のサブセット及び前記データ源又は複数データ源へ電気的に連結されている電気端子の共存するサブセットを有している、請求項１２に記載の取付台。
【請求項１５】
機器取り付け装置において、
軌道であって、
複数の配線管及び複数のスロットを有する裏打板であって、各スロットは、互いに実質的に平行であり、
複数の開口領域、及び、
前記複数の開口領域を接続している複数のネックダウン領域、を備えている、複数のスロットを有する裏打板と、
前記裏打板に沿って前記複数のスロットの少なくとも１つに隣接して配置されている複数の電気接点部であって、当該複数の電気接点部の少なくとも１つは電源又はデータ源へ電気的に連結されている、複数の電気接点部と、を備える軌道と、
取付台であって、
後面と前面を有する取り付け板と、
前記取り付け板の前記後面へ連結されている少なくとも１つの取り付けスタッドであって、各取り付けスタッドは前記後面から外向きに延びている軸部分及びそれぞれの軸部分の遠位端に配置されている拡大頭部分を含んでいる、少なくとも１つの取り付けスタッドと、
機器を前記取付台の前記前面へ固定するために前記取り付け板を貫いて配置されている複数の機器取り付け場所と、
前記取り付け板へ連結されていて前記機器へ電気的に連結されている少なくとも１つの電気コネクタと、
解放機構であって、
前記取り付け板を貫いて配置されていて前記後面から外向きに伸びているロックピン、及び、
前記ロックピンへ動作可能に接続されている少なくとも１つの被解放ロックピン、を備える解放機構と、を備える取付台と、を備えていて、
前記取付台が前記軌道へ固定されると前記複数の電気接点部が前記少なくとも１つの電気コネクタと電気的に連結してパワー又はデータを前記機器へ提供する、機器取り付け装置。
【請求項１６】
前記複数の電気接点部は、前記電源へ電気的に連結されている電気接点部のサブセット及び前記データ源又は複数データ源へ電気的に連結されている電気接点部の共存するサブセットを有している、請求項１５に記載の装置。
【請求項１７】
前記少なくとも１つの電気コネクタは、前記後面上に配置されている少なくとも１つの端子台であり、前記少なくとも１つの端子台へ連結されている複数の電気ワイパを更に備えており、各電気ワイパは、前記機器へ電気的に連結されていて、前記取付台が前記軌道へ固定されると前記複数の電気接点部へ電気的に連結する、請求項１５に記載の装置。
【請求項１８】
前記少なくとも１つの電気コネクタは、前記前面へ連結されていて前記機器へ電気的に連結されている複数の第１電気端子である、請求項１５に記載の装置。
【請求項１９】
前記装置は電気アダプタを更に備えており、前記電気アダプタは、
第１面と第２面を有するコネクタ板と、
前記コネクタ板の前記第１面へ連結されている少なくとも１つの取り付けスタッドと、
前記コネクタ板の第２面へ連結されているロック機構であって、
前記コネクタ板を貫いて配置されていて前記第１面から外向きに延びているアダプタロックピン、
前記アダプタロックピンへ動作可能に連結されているハンドル、を備えているロック機構と、
データ源又は電源へ電気的に連結されている電気伝導体と、
前記コネクタ板へ取り付けられている複数の第２電気端子であって、前記電気アダプタが前記取付台に隣接して前記軌道へ固定されると前記複数の第１電気端子が当該複数の第２電気端子と電気的に連結する、複数の第２電気端子と、を備えている、電気アダプタを更に備えている請求項１８に記載の装置。
【請求項２０】
前記複数の第１電気端子及び前記複数の第２電気端子は、各々、前記電源へ電気的に連結されている電気端子のサブセット及び前記データ源又は複数データ源へ電気的に連結されている電気端子の共存するサブセットを有している、請求項１９に記載の装置。
【発明の詳細な説明】
【技術分野】
【０００１】
[0001]本明細書は概括的には機器及び装置のための取り付けシステムに関する。
【発明の概要】
【０００２】
[0002]１つの実施形態では、軌道が、互いに実質的に平行な多数のスロットを配置させた裏打板を含んでいる。各スロットは、複数の開口領域と、当該複数の開口領域を接続している複数のネックダウン領域と、を含んでいる。軌道は、更に、裏打板に沿って複数のスロットの少なくとも１つに隣接して配置されている複数の電気接点部を含むものとすることができ、複数の電気接点部の少なくとも１つは電源又はデータ源へ電気的に連結されている。
【０００３】
[0003]別の実施形態では、取付台が、後面と前面を有する取り付け板を含んでいる。取付台は、更に、取り付け板の後面へ連結されている少なくとも１つの取り付けスタッドを含むものとすることができ、各取り付けスタッドは、後面から外向きに延びている軸部分と、それぞれの軸部分の遠位端に配置されている拡大頭部分と、を含んでいる。取付台は、更に、機器を取付台の前面へ固定するために取り付け板を貫いて配置されている複数の機器取り付け場所と、取り付け板へ固定されていて機器へ電気的に連結されている少なくとも１つの電気コネクタと、を含んでいてもよい。取付台は、更に、取り付け板を貫いて配置されていて裏面から外向きに延びているロックピンと、ロックピンへ動作可能に接続されている少なくとも１つの被解放ロックピン(locking pin released)と、を含む解放機構を含んでいてもよい。
【０００４】
[0004]更に別の実施形態では、機器取り付け装置が、互いに実質的に平行な多数のスロットを配置させている裏打板を有する軌道を含んでいる。各スロットは、複数の開口領域と、当該複数の開口領域を接続している複数のネックダウン領域と、を含んでいる。軌道は、更に、裏打板に沿って複数のスロットの少なくとも１つに隣接して配置されている複数の電気接点部を含むものとすることができ、複数の電気接点部の少なくとも１つは電源又はデータ源へ電気的に連結されている。機器取付は、更に、後面と前面を有する取り付け板を含む取付台を含んでいてもよい。取付台は、更に、取り付け板の後面へ連結されている少なくとも１つの取り付けスタッドを含むものとすることができ、各取り付けスタッドは、後面から外向きに延びている軸部分と、それぞれの軸部分の遠位端に配置されている拡大頭部分と、を含んでいる。取付台は、更に、機器を取付台の前面へ固定するために取り付け板を貫いて配置されている複数の機器取り付け場所と、取り付け板へ固定されていて機器へ電気的に連結されている少なくとも１つの電気コネクタと、を含んでいてもよい。取付台は、更に、取り付け板を貫いて配置されていて裏面から外向きに延びているロックピンと、ロックピンへ動作可能に接続されている少なくとも１つの被解放ロックピンと、を含む解放機構を含んでいてもよい。
【０００５】
[0005]これらの特徴及びここに記載の実施形態によって提供される更なる特徴は、次の詳細な説明を図面と関連付けて見てゆけばより深く理解されるはずである。
[0006]図面に示されている実施形態は、説明が目的であり、本質的に例示であり、特許請求の範囲によって定義されている主題を限定しようとするものではない。次に続く説明を目的とした実施形態の詳細な記述は、添付図面と関連付けながら閲読されれば理解され得るものであり、図面中、同様の構造は同様の符号で表示されている。
【図面の簡単な説明】
【０００６】
【図１】[0007]ここに示され説明されている１つ又はそれ以上の実施形態による電化機器取り付けシステムでの使用のための軌道の前面図を描いている。
【図２】[0008]ここに示され説明されている１つ又はそれ以上の実施形態による軌道の側面図を描いている。
【図３】[0009]ここに示され説明されている１つ又はそれ以上の実施形態による複数の電気接点部を有する軌道の斜視図である。
【図４】[0010]ここに示され説明されている１つ又はそれ以上の実施形態による、機器へ付着された取付台の斜視図である。
【図５】[0011]ここに示され説明されている１つ又はそれ以上の実施形態による図１の軌道と図３の取付台の間の相互作用を示している。
【図６】[0011]図５と共に図１の軌道と図３の取付台の間の相互作用を示している。
【図７】[0012]ここに示され説明されている１つ又はそれ以上の実施形態による、一体にロックされた取付台と軌道の側面図である。
【図８】[0013]ここに示され説明されている１つ又はそれ以上の実施形態による取付台を使用して軌道へ付着された機器を描いている。
【図９】[0014]ここに示され説明されている１つ又はそれ以上の実施形態による電気アダプタの斜視図を描いている。
【図１０】[0015]ここに示され説明されている１つ又はそれ以上の実施形態による、軌道へ付着されていて取付台へ電気的に連結されている電気アダプタを示している。
【図１１】[0016]ここに示され説明されている１つ又はそれ以上の実施形態による電気アダプタの第２の実施形態を示している。
【図１２】[0017]ここに示され説明されている１つ又はそれ以上の実施形態による、軌道へ付着されていて取付台へ電気的に連結されている電気アダプタの第２の実施形態を描いている。
【発明を実施するための形態】
【０００７】
[0018]次に続く本文は、本開示の多数の異なった実施形態の広範な説明を記している。
本説明は、単に例示と見なされるべきであり、実現され得る実施形態全てを記述するのは不可能ではないにしても非現実的であろうことから、本説明は実現され得るあらゆる実施形態を記述しているわけではなく、また、ここに記述されている特徴、特性、構成要素、組成、成分、生成物、工程、又は方法論は何れも、全体的又にせよ又は部分的にせよ、削除されることもあり得るし、ここに記述されている何れか他の特徴、特性、構成要素、組成、成分、生成物、工程、又は方法論と組み合わされたり又は置き換えられたりすることもあり得るものと理解しておきたい。多数の代わりの実施形態が、既存の技術を使用するなり或いは本特許の出願日以降に開発された技術を使用するなりして、なお特許請求の範囲による範囲に入るものとして実施されることがあるかもしれない。ここに挙げられている全ての出版物及び特許はここに参考文献として援用される。
【０００８】
[0019]用語はどれも、そう言明されていない限り、本発明に必要不可欠であるとするものではない。本特許の末尾の特許請求の範囲に述べられている如何なる用語も、それが本特許の中で或る単一の意味と整合するやり方で言及される限りにおいて、読み手を混乱させないよう分かり易くすることのみを目的にそうなされるものであり、特許請求の範囲のその様な用語は、暗示的にも又はそれ以外にも、当該単一の意味に限定されるものでなはい。
【０００９】
[0020]図１を参照すると、電化機器取り付けシステム又は類似の軌道システムでの使用のための軌道１０の前面図が示されている。複数の軌道が使用されてもよいが、同じ軌道システムの複数の軌道は同じか又は実質的に同じ特徴を有していることから１つの軌道１０だけを説明してゆく。また、軌道１０の寸法、形状、及び／又は構成は、据え付け面の寸法及び軌道１０へ取り付けられることになる機器の寸法に依存して変わり得る。軌道１０は、細長く矩形の形状（又は何れか他の適当な形状）を有している裏打板１５と複数のスロットを含んでいる。幾つかの実施形態では、複数のスロットは３つのスロット、即ち、左スロット２０、中央スロット２５、及び右スロット３０とすることができ、それらスロットは、裏打板に沿って配置されていて、裏打板１５に沿って何れかの長さに延びていて、複数のスロットの少なくとも１つに隣接している。換言すると、複数のスロットは互いに実質的に平行である。各スロット２０、２５、及び３０は、複数のネックダウン領域４０に隣接する複数の開口領域３５を有している。幾つかの実施形態では、開口領域３５は、それらが等距離に離間され且つ裏打板１５の長さに沿って幅方向に一列に整列するように対称である。別の例として、スロット２０、２５、及び３０の１つ又はそれ以上のスロットの開口領域３５は、どれもが等距離にあるとは限らず、及び／又は他のスロットの他の開口領域と一列に整列していない場合もある。
【００１０】
[0021]軌道１０は、電源（図示せず）及び／又はデータ源又は複数データ源（図示せず）へ電気的に連結されている複数の電気接点部４５を有していてもよい。複数の電気接点部４５は、複数のスロットに実質的に平行であり、裏打板１５に沿って何れかの長さに延びていてもよい。幾つかの実施形態では、複数の電気接点部は、電気伝導性の条片又は複数のパッドであってもよい。複数の電気接点部４５はどれもが電源へ電気的に連結されていてもよいし、又はそれらはどれもがデータ源又は複数データ源へ電気的に連結されていてもよい。代わりに、複数の電気接点部４５は、電源へ電気的に連結されている電気接点部のサブセット及びデータ源又は複数データ源へ電気的に連結されている電気接点部の共存するサブセットを有していてもよい。電気接点部４５は複数のスロット２０、２５、及び３０に実質的に平行であるものとして示されているが、例えば非平行な向き付け、プラグ型式の接点部、など、の様な他の構成も実施可能であると理解している。
【００１１】
[0022]図２には、軌道１０の側面図が示されている。複数の電気接点部４５及びＴ字形状の３つのスロット（左スロット２０、中央スロット２５、及び右スロット３０）が示されている。幾つかの実施形態では、複数の電気接点部４５は、表面実装型であり、図２に示されている様に埋め込まれてはいない。例えば、複数の電気接点部４５は、軌道１０上に押出成形されているか又は軌道１０の上へ形成されていてもよい。複数の電気接点部４５は、それら複数の電気接点部４５を絶縁するカバー５０を有していてもよい。カバー５０は、軌道１０へ取り外し可能に付着されるようになっていてもよい。カバー５０は、複数の電気接点部４５の不注意による接触に曝される部分のみを絶縁するように切られていてもよい。幾つかの実施形態では、軌道１０は、電気伝導体を管理及び保護するために使用される複数の配線管６０を含んでいてもよい。
【００１２】
[0023]図３は、複数の電気接点部４５を有する軌道１０の斜視図である。複数の配線管６０は軌道１０の長さを走っていてもよいし、又はそれらは、少なくとも１つの配線又は電気伝導体１７５（図９）が配線管６０を抜け出ることができるように短く切られているか又は切り抜きを有していてもよい。幾つかの実施形態では、複数の配線管アクセス点６５が複数のスロットの少なくとも１つに配置されていて、電気伝導体１７５が裏打板１５を通って配線管６０の１つの中へ通じることができるようにしている。図３には配線管アクセス点６５が中央スロット２５に設けられている非限定の例が示されている。例えば、配線管アクセス点６５は、同様に、左スロット２０及び／又は右スロット３０を含めて３つのスロットの何れに配置されていてもよい。
【００１３】
[0024]図４は、機器７５へ付着されている取付台７０の斜視図である。取付台７０は、取り付け板８０、後面８５、前面９０、及び少なくとも１つの取り付けスタッド９５を有している。例えば、少なくとも１つの取り付けスタッド９５は、４つの取り付けスタッド９５ａ、９５ｂ、９５ｃ、及び９５ｄ、であってもよい。取付台７０は、図１に示されている軌道１０又は定位板２５０（図１３）へ取り外し可能に接続及び／又は付着させるように操作可能であってもよい。各取り付けスタッド９５ａ−９５ｄは、後面８５から外向きに延びているそれぞれの軸部分１００ａ−１００ｄと、それぞれの軸部分１００ａ−１００ｄの遠位端に配置されているそれぞれの拡大頭部分１０５ａ−１０５ｄを含んでいる。取付台７０がひとたび軌道１０又は定位板２５０へ固定されてしまったら動けないようにするするために、ロックピン１１０と少なくとも１つのロックピン解放を有する解放機構（図示せず）が使用されていてもよい。例えば、少なくとも１つのロックピン解放は、右ロックピン解放１１５及び左ロックピン解放１２０であってもよい。ロックピン１１０は、取り付け板８０を貫いて配置されていて、後面から外向きに延びていて、軌道１０の中央スロット２５又は対応するロックピン孔（図示されていないが定位板の部分）に係合するための伸展ロック位置に向けて（例えば、ばね、弾性材料、又は他の付勢手段によって）外方付勢されるようになっていてもよい。ロックピン１１０は、取付台７０上の軌道の右スロット３０又は左スロット２５に係合する場所に設けることができるものと理解されたい。ロックピン１１０は、解放機構（図示せず）へ動作可能に接続されている右ロックピン解放１１５又は左ロックピン解放１２０を個別か又は合同のどちらかで使用して引っ込ませることができる。両ロックピン解放は、邪魔になるのを避け尚且つ取付台７０を軌道１０又は定位板から解放できるようにするために、何れの方向に向き付けられていてもよいものと理解されたい。また、幾つかの実施形態では、取付台７０の取り付け板８０を解放するには２つ又はそれ以上の解放レバーを作動させる必要がある。その様な実施形態は、ロックピン解放１１５又は１２０の一方が過って作動された場合の取り付け板８０の望まれない運動を未然に防ぐことによる追加の安全確保を提供することができる。前面９０は、何れの装置及び／又は機器７５をそれへ付着させていてもよい。或る非限定的な例では、複数の機器取り付け場所１５０がロックピン１１０の周りに示されており、機器７５を取付台７０へ固定するのに使用されるようになっている。複数の機器取り付け場所１５０は、何れかの機器７５を取付台７０へ固定できるようにする何れの構成であってもよい。
【００１４】
[0025]取付台７０は、取り付け板８０へ固定されている少なくとも１つの電気コネクタを有していてもよい。幾つかの実施形態では、電気コネクタは後面８５上に配置されている少なくとも１つの端子台１４０である。複数の電気ワイパ１４５が端子台１４０へ連結されており、それらは取付台７０へ付着されている機器７５へ電気的に連結されていてもよい。幾つかの実施形態では、軌道１０上の電気接点部４５と等しい数量の電気ワイパ１４５が設けられている。別の実施形態では、電気ワイパは軌道１０の複数の電気接点部４５のパッドと嵌め合い式に連結するパッドであってもよい。
【００１５】
[0026]図５及び図６を参照すると、軌道１０と取付台７０は、取付台７０を軌道１０へロックするのに使用される異相配列（out-of-phase configuration）を提供している。図５を参照して、取付台７０の取り付けスタッド９５ａ、９５ｂ、９５ｃ、及び９５ｄの拡大頭部分１０５ａ、１０５ｂ、１０５ｃ、及び１０５ｄが、左スロット２０及び右スロット３０それぞれの複数の開口領域３５ａ、３５ｂ、３５ｃ、及び３５ｄ内に挿入されたところである。ロックピン１１０は、それがネックダウン領域４０ｅと整列していることに因り中央スロット２５に進入することを阻止されている。幾つかの実施形態では、拡大頭部分１０５ａ、１０５ｂ、１０５ｃ、及び１０５ｄを左スロット２０及び右スロット３０それぞれの中に設置することが、ロックピン１１０をその外方付勢された伸展位置から引っ込ませることになる。
【００１６】
[0027]図６を参照して、取り付けスタッド９５ａ、９５ｂ、９５ｃ、及び９５ｄの軸部分１００（図示せず）は、拡大頭部分１０５ａ、１０５ｂ、１０５ｃ、及び１０５ｄを左スロット２０及び右スロット３０それぞれの中に留まらせた状態で、ネックダウン領域４０ａ、４０ｂ、４０ｃ、及び４０ｄをそれぞれ通って滑動する寸法である。取付台７０の矢印１２５の方向への下方運動は、拡大頭部分１０５ａ、１０５ｂ、１０５ｃ、及び１０５ｄを、左スロット２０及び右スロット３０のネックダウン領域４０ａ、４０ｂ、４０ｃ、及び４０ｄとそれぞれ整列させ、ロックピン１１０を中央スロット２５の拡大頭部開口１０５ｅと整列させる。ロックピン１１０の幅は、拡大頭部開口１０５ｅに隣接するネックダウン領域４０ｅ及び４０ｆを通る上側通路１３０及び下側通路１３５より大きくなっており、ひとたびロックピン１１０が拡大頭部開口１０５ｅを通って中央スロット２５の中へ通じてしまえば取付台７０のそれ以上の運動は阻止される。ロックピン１１０がその伸展位置に向けて付勢される実施形態では、ひとたびロックピン１１０が拡大頭部開口１０５ｅと整列するや、ロックピン１１０は自動的にその伸展位置へパチンと入る。操作員は、上述のロックピン解放１１５及び／又は１２０の何れかを作動させることによってロックピン１１０を中央スロット２５から引っ込ませたら、再度、取付台７０を軌道１０に沿って異なった高さへ動かすことができる。
【００１７】
[0028]図５及び図６は、取付台７０が軌道１０へ４つの取り付けスタッド９５ａ、９５ｂ、９５ｃ、及び９５ｄと１つのロックピン１１０を使用して固定されていることを示しているが、何れの他の数のスタッド及びロックピンが代わりに採用されてもよいものと認識されたい。その様な実施形態は、取付台７０と軌道１０の間により多い接触点を提供することによって、増加した荷重下でも安全確保された接続を可能にさせる。別の実施形態では、取付台７０は、８つの取り付けスタッド９５を取り付け板８０の周りに均等に分配して組み入れていてもよい。更に別の実施形態では、軌道１０との解放可能な接続を可能にさせる何れかの他の数の取り付けスタッド９５が取り付け板８０上に配置されていてもよい。拡大頭部分１０５は、スロット２０、２５、及び３０の複数の開口領域３５を通って受け入れられネックダウン領域４０の後ろに捕捉される寸法であり、一方、軸部分１００はスロット２０、２５、及び３０のネックダウン領域４０を通り過ぎる寸法である。
【００１８】
[0029]図７は、図５及び図６で説明されている様に一体にロックされた取付台７０と軌道１０の側面図である。取付台７０へ付着されている複数の取り付けスタッド９５は、軌道１０の３つのスロット２０、２５、及び３０の中へロックされている。機器７５を取付台７０の取り付け板８０へ複数の機器取り付け場所１５０を介して固定するのに複数の機器締結具１５５が使用されていてもよい。端子台１４０は後面８５から離れて外方付勢されていてもよい。付勢力は、確実に複数の電気ワイパ１４５が複数の電気接点部４５へ電気的に連結されるようにする。示されている様に、例えば、電気ワイパ１４５の数は複数の電気接点部４５の数に等しい。複数の電気ワイパは、電源へ電気的に連結されている電気ワイパのサブセットを有していてもよいし、又はデータ源又は複数データ源へ電気的に連結されている電気ワイパの共存するサブセットを有していてもよい。
【００１９】
[0030]図８は、取付台７０を使用して軌道１０へ付着されている機器７５を描いている。カバー５０が、機器７５の周りの複数の電気接点部４５（図１）を絶縁して、結果的に複数の電気ワイパ１４５だけが複数の電気接点部へ電気的に連結されるようにしていることが示されている。
【００２０】
[0031]図９は、電気アダプタ１６０の斜視図である。電気アダプタ１６０は、機器７５（図４）を電源又はデータ源へ電気的に連結するのに使用することができる。コネクタ板１６５が、少なくとも１つの取り付けスタッド９５及びロック機構１８０のための土台の役目を果たしている。少なくとも１つの取り付けスタッド９５は、コネクタ板１６５の第１面１６１へ固定されていてもよい。ロック機構１８０はコネクタ板１６５の第２面１６３へ連結されていてもよい。ロック機構１８０は、アダプタロックピン２０５（図１１）へ動作可能に連結されているハンドル１８５を有している。アダプタロックピン２０５は、コネクタ板１６５を貫いて配置されているものとすることができ、第１面１６１から外向きに延びている。ロック機構１８０は、電気アダプタ１６０を軌道１０又は定位板２５０（図１１）へ固定する。ハンドル１８５は、図９に着座位置にあるところが示されている。ハンドル１８５が着座位置にあるとき、アダプタロックピン２０５はロック位置又は伸展位置にあり、即ちアダプタロックピン２０５は第１面１６１から外向きに延びている。ハンドル１８５が非着座位置へ動かされるとき、それはアダプタロックピン２０５をロック解除位置又は引き込み位置へ動かし、即ちアダプタロックピン２０５は第１面１６１と面一になる。ハンドル１８５が非着座位置から着座位置へ動かされると、アダプタロックピン２０５はロック解除位置（又は引き込み位置）からロック位置（又は伸展位置）へ動く。代わりの実施形態では、ハンドル１８５及び／又はアダプタロックピン２０５は、上述の様に、限定するわけではないが１つ又はそれ以上のばね、弾性材料、それらの組合せ、など、を含む付勢部材を使用して、着座位置及び／又はロック位置へ付勢されていてもよい。例えば、ハンドル１８５は、アダプタロックピンを伸展させる又は引き込むのに必要な付勢力を提供するばねを圧縮するようになっていてもよい。他の実施形態では、ハンドル１８５はアダプタロックピンを伸展させる又は引き込むカム（図示せず）を作動させるようになっていてもよい。
【００２１】
[0032]電気伝導体１７５は複数の第２電気端子と電気的に連結している。複数の第２電気端子はコネクタ板１６５上に取り付けられていてもよい。幾つかの実施形態では、複数の第２電気端子は、電気アダプタ１６０の前面１９０側の第２端子ハウジング１９５に設けられていてもよい。幾つかの実施形態では、複数の第２電気端子は、ハンドル１８５が着座位置にあるときには前面１９０から突き出ることができ、ハンドル１８５が非着座位置にあるときには陥没するようになっていてもよい。
【００２２】
[0033]図１０は、軌道１０へ付着されていて取付台７０へ電気的に連結されている電気アダプタ１６０を示している。電気コネクタは、複数の第１電気端子（図示せず）を含んでいる、前面９０へ連結された第１端子ハウジング２００とすることができる。電気アダプタ１６０が軌道１０上に設置されハンドル１８５が着座位置に入れられると複数の第１電気端子と複数の第２電気端子１７０が整列し電気的に連結する。例えば、第１端子ハウジング２００と第２端子ハウジング１９５は軌道１０へ固定されたとき整列する。取付台７０は既に定位置へロックされていることになっているが、本開示は取付台７０を最初に軌道１０上へ設置することに限定されないものと理解されたい。複数の第１電気端子及び複数の第２電気端子は機器７５の電源及び／又はデータ源又は複数データ源を電気的に連結している。代わりに、複数の第１電気端子及び複数の第２電気端子は、それぞれ、電源へ電気的に連結されている電気端子のサブセット及びデータ源又は複数データ源へ電気的に連結されている電気端子の共存するサブセットを有していてもよい。幾つかの実施形態では、複数の第１電気端子及び複数の第２電気端子は雄型プラグと雌型プラグのセットであってもよいし、又はそれらは電気伝導性のリング又はパッドのセットであってもよい。
【００２３】
[0034]図１１は、電気伝導体１７５が図１に示されている軌道１０の中央スロット２５を電気伝導体１７５を管理及び固定するための配線管として使用している電気アダプタ１６０の別の実施形態を示している。電気伝導体１７５は、コネクタ板１６５の第１面１６１から突き出ている。電気伝導体１７５は、第１面１６１の３つのスロット２０、２５、又は３０の何れかの配線管としての使用を可能にさせる何れかの場所から突き出ているものと理解されたい。１つより多い電気伝導体１７５が第１面１６１から突き出ていてもよい。アダプタロックピン２０５は、第１面１６１から図９で説明されている様にロック位置又は伸展位置に突き出ていることが示されている。アダプタロックピン２０５は、図４に示されている取付台７０のロックピン１１０と同様の機能を果たす。
【００２４】
[0035]次に図１２を参照すると、中央スロット２５を配線管として使用している電気伝導体１７５を有する電気アダプタ１６０が示されている。この図を図１０と比較すると、電気伝導体１７５は中央スロット２５で以て管理及び固定されているか、又は代わりに電気伝導体１７５は複数の配線管アクセス点６５（図３）の１つに入り、電気伝導体１７５を管理及び固定する複数の配線管６０を使用している場合もある。複数の第１電気端子及び複数の第２電気端子は、機器７５の電源及び／又はデータ源を電気的に連結している。電気アダプタ１６０が軌道１０上に、第１端子ハウジング２００と第２端子ハウジング１９５が整列するような具合に設置され、ハンドル１８５が着座位置に入れられると、複数の第１電気端子と複数の第２電気端子１７０は整列し電気的に一体に連結する。幾つかの実施形態では、複数の第１電気端子及び複数の第２電気端子は雄型プラグと雌型プラグのセットであってもよいし、又はそれらは電気伝導性のリング又はパッドのセットであってもよい。
【００２５】
[0036]図１３は、軌道１０の代わりとしての定位板２５０の斜視前面図である。定位板２５０は、図４の取付台７０又は図９の電気アダプタ１６０へ取り外し可能に連結又は付着させることができる。定位板２５０は、それを面へ固定するための何れかの適当な取り付け構造又は締結装置を含んでいてもよい。締結装置は、限定されるわけではないが、ねじ、ボルト、リベット、釘、接着剤、Ｖｅｌｃｒｏ、溶接、エポキシ、又は２つ又はそれ以上の物体を機械的に一体に接合又は固着する何れかの類似の装置を含む。取り付け構造は、限定されるわけではないが、ダブテール、フックとスロット、さねはぎ、滑動式連結部材、ピンとスロット、又は何れかの類似の装置を含む。この例示的な実施形態では、定位板２５０は、定位板２５０を面へ固定するのに４つの取り付け穴２５５ａ−２５５ｄを組み入れている。定位板２５０は、更に、拡大頭部開口２８０とネックダウン部分２８５をそれぞれに有する鍵穴型スロット２６０、２６５、２７０、及び２７５の形態をしたスロットを含んでいる。鍵穴型スロット２６０、２６５、２７０、及び２７５の拡大頭部開口２８０は、図４の拡大頭部分１０５ａ、１０５ｂ、１０５ｃ、及び１０５ｄを通して受け入れる寸法と配列であり、ネックダウン部分２８５は、拡大頭部分１０５ａ、１０５ｂ、１０５ｃ、及び１０５ｄがネックダウン部分２８５内に捕捉された状態で図４の軸部分１００に中を滑動させる寸法である。ロックピン２９０が、図４のロックピン１１０がロックピン孔２９０と整列したときにロックピン１１０を受け入れる寸法に設けられていてもよい。
【００２６】
[0037]図１４は、複数の目標開口領域３００及び非目標開口領域３０５を有する軌道１０を描いている。左スロット２０及び右スロット３０は、図４の取り付けスタッド９５又は類似のスタッドに適合する目標開口領域３００を含んでいてもよい。幾つかの実施形態では、目標開口領域３００は、機器を付着させた取付台７０が、取り付けスタッド９５と図１の開口領域３５との視線整列の必要性無しに、滑動式に軌道１０と連結できるようにしている。目標開口領域３００は、直径及び／又は寸法が非目標開口領域３０５より大きく、取付台７０の軌道１０に対する向き付けにおけるより大きな可変性を許容しながらもなお軌道１０と取付台７０の間の正確な係合を可能にする。目標開口領域３００によって端子台１４０の複数の電気接点部４５に対する整列が変わることはない。代わりの実施形態（図示せず）では、軌道１０は非目標開口領域３０５を含んでいない。それは、軌道２０及び３０に沿った或る特定数の目標開口領域３００と当該特定数の目標開口領域３００の間を走っているネックダウン領域しか含んでいない。
【００２７】
[0038]図１５は、複数のロック穴３１０を有する軌道１０を描いている。図１４に示されている中央スロット２５は、複数のロック穴３１０と置き換えられて、図４のロックピン１１０を個別のロック穴３１０に滑動式に連結して取付台７０を軌道１０へ固定させられるようにしている。幾つかの実施形態では、左スロット２０及び右スロット３０は複数の目標開口領域３００及び非目標開口領域３０５を有していてもよいが、それらは必須ではない。端子台１４０の複数の電気接点部４５に対する整列が変わることはない。
【００２８】
[0039]図１６は、図１４に示されている中央スロット２５無しの軌道１０を描いている。左スロット２０及び右スロット３０が複数の目標領域３００及び非目標開口領域３０５を有しているが、それらは必須ではない。平坦面３１５は、図４のロックピン１１０が付勢力を均一的な表面へ加えて取り付けスタッド９５と左スロット２０及び右スロット３０のネックダウン領域４０の間に干渉嵌めを作り出せるようにしている。付勢力は、取付台７０を軌道１０から分離させる力を働かせる。干渉嵌め又は摩擦嵌めが、２つの部品をそれら部品の一体押圧後に摩擦によって締結する締結装置になっている。端子台１４０の複数の電気接点部４５に対する整列が変わることはない。
【００２９】
[0040]適用は説明中に述べられている又は図に示されている詳細又は方法論に限定されないものと理解されたい。用語遣いは説明のみを目的としており、限定を課すものと考えられてはならない。或る特定の用語遣いが付随の説明中に使用されているが便宜上使用されているだけであって限定を課すものではない。「左」、「右」、「前」、「後」、「上」、「下」という語は、参照先の図面中の方向を指定している。用語遣いは、以上に指摘されている語並びにそれらの派生語及び同様の意味の語を含む。
【００３０】
[0041]「実質的に」及び「約」という用語は、ここでは、何れかの量的比較、数値、測定値、又は他の表現、に起因する特有の不確定度を表すのに用いられていることを指摘しておく。これらの用語は、更に、ここでは、量的表現が、表明されている基準から、問題になっている主題の基本的機能に変化を生じさせることなく変動し得る程度を表すのにも用いられている。
【００３１】
[0042]具体的な実施形態がここに示され説明されてきたが、特許請求の範囲に記載の主題の精神及び範囲から逸脱することなく様々な他の変更及び修正がなされ得るものと理解されたい。また、特許請求の範囲に記載の主題の様々な態様がここに説明されてきたが、その様な態様は組み合わせて利用される必要はない。従って、付随の特許請求の範囲は、特許請求の範囲に記載の主題の範囲に入る全てのその様な変更及び修正を網羅するものとする。
【符号の説明】
【００３２】
１０  軌道
１５  裏打板
２０  左スロット
２５  中央スロット
３０  右スロット
３５、３５ａ−３５ｄ  開口領域
４０、４０ａ−４０ｆ  ネックダウン領域
４５  電気接点部
５０  カバー
６０  配線管
６５  配線管アクセス点
７０  取付台
７５  機器
８０  取り付け板
８５  後面
９０  前面
９５、９５ａ−９５ｄ  取り付けスタッド
１００ａ−１００ｄ  軸部分
１０５ａ−１０５ｄ  拡大頭部分
１０５ｅ  拡大頭部開口
１１０  ロックピン
１１５  右ロックピン解放
１２０  左ロックピン解放
１３０  上側通路
１３５  下側通路
１４０  端子台
１５０  機器取り付け場所
１５５  機器締結具
１６０  電気アダプタ
１６１  第１面
１６３  第２面
１６５  コネクタ板
１７０  第２端子
１７５  電気伝導体
１８０  ロック機構
１８５  ハンドル
１９５  第２端子ハウジング
２００  第１端子ハウジング
２０５  アダプタロックピン
２５０  定位板
２５５ａ−２５５ｄ  取り付け穴
２６０、２６５、２７０、２７５  鍵穴型スロット
２８０  拡大頭部開口
２８５  ネックダウン部分
２９０  ロックピン孔
３００  目標開口領域
３０５  非目標開口領域
３１０  ロック穴
３１５  平坦面
【図１】
2017208354.tif 000003
【図２】
2017208354.tif 000004
【図３】
2017208354.tif 000005
【図４】
2017208354.tif 000006
【図５】
2017208354.tif 000007
【図６】
2017208354.tif 000008
【図７】
2017208354.tif 000009
【図８】
2017208354.tif 000010
【図９】
2017208354.tif 000011
【図１０】
2017208354.tif 000012
【図１１】
2017208354.tif 000013
【図１２】
2017208354.tif 000014
【図１３】
2017208354.tif 000015
【図１４】
2017208354.tif 000016
【図１５】
2017208354.tif 000017
【図１６】
2017208354.tif 000018
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
裏打板と、複数のスロットと、複数の電気接点部と、を備えている軌道において、
前記複数のスロットは、前記裏打板に沿って配置され、互いに実質的に平行であり、
前記複数のスロットのうち少なくとも1つは、複数の目標開口領域と、複数の非目標開口領域とを備え、
前記複数の電気接点部は前記裏打板に沿って配置され、前記複数のスロットの少なくとも１つに隣接し、前記目標開口領域は直径及び/又は寸法が前記非目標開口領域より大きい軌道。
【請求項２】
請求項１に記載の軌道において、
前記軌道は、前記複数のスロットに実質的に平行な前記軌道の中心に沿った複数のロック穴を備えている軌道。
【請求項３】
請求項１に記載の軌道において、
前記軌道は、前記軌道の中心に沿った平坦面を備えている軌道。
【請求項４】
請求項１に記載の軌道において、
前記裏打板は複数の配線管を含んでいる軌道。
【請求項５】
請求項４に記載の軌道において、
前記軌道は、電気伝導体が前記裏打板を通って前記複数の配線管の少なくとも１つの中へ通じることができるように前記複数のスロットに配置されている複数の配線管アクセス点を更に備えている軌道。
【請求項６】
請求項１に記載の軌道において、
前記複数の電気接点部は、銅、アルミニウム、銀、又は金である軌道。
【請求項７】
請求項１に記載の軌道において、
前記複数の電気接点部は、条片又はパッドから選定されている軌道。
【請求項８】
請求項１に記載の軌道において、
前記複数の電気接点部を絶縁するように前記軌道へ取り外し可能に連結されているカバーを更に備えている軌道。
【請求項９】
請求項１に記載の軌道において、
前記複数の電気接点部は、前記裏打板の表面に沿って配置されている軌道。
【請求項１０】
請求項1に記載の軌道において、
前記複数の電気接点部は前記裏打板に埋め込まれている軌道。
【請求項１１】
請求項1に記載の軌道において、
前記電気接点部のうち少なくとも1つは電源又はデータ源へ電気的に連結されている軌道。
【請求項１２】
請求項１１に記載の軌道において、
前記複数の電気接点部は、前記電源へ電気的に連結されている電気接点部のサブセット及び前記データ源又は複数データ源へ電気的に連結されている電気接点部の共存するサブセットを有する軌道。
【請求項１３】
軌道と、取付台とを備えた電気接点を有する機器取り付け装置において、
前記軌道は、裏打板と、複数のスロットと、複数の電気接点部とを備え、
前記複数のスロットは前記裏打板に沿って配置され、互いに実質的に平行であり、
前記複数のスロットのうち少なくとも1つは、複数の目標開口領域と、複数の非開口領域とを備え、前記目標開口領域は直径及び/又は寸法が前記非目標開口領域より大きく、
前記複数の電気接点部は前記裏打板に沿って配置され、前記複数のスロットのうち少なくとも１つに隣接しており、
前記取付台は、
後面と前面を有する取り付け板と、
前記取り付け板の前記後面へ連結されている少なくとも１つの取り付けスタッドであって、各取り付けスタッドは、前記後面から外向きに延びている軸部分及びそれぞれの軸部分の遠位端に配置されている拡大頭部分を含んでいる、少なくとも１つの取り付けスタッドと、
機器を前記取付台の前記前面へ固定するために前記取り付け板を貫いて配置されている複数の機器取り付け場所と、
前記後面上に配置され、前記機器へ電気的に連結されている少なくとも１つの端子台であって、前記少なくとも１つの端子台へ連結されている複数の電気ワイパを更に備え、各電気ワイパは前記機器へ電気的に連結される少なくとも１つの端子台と、
前記取付台が前記軌道へ固定されると、前記複数の電気接点部のうち少なくとも１つが、前記少なくとも１つの電気ワイパへ電気的に連結してパワー又はデータを前記機器へ提供する、機器取り付け装置。
【請求項１４】
請求項１３に記載の機器取り付け装置において、
前記軌道は、前記複数のスロットに実質的に平行な前記軌道の中心に沿った複数のロック穴を備えている機器取り付け装置。
【請求項１５】
請求項１３に記載の機器取り付け装置において、
前記軌道は前記軌道の中心に沿った平坦面を備えている機器取り付け装置。
【請求項１６】
請求項１３に記載の機器取り付け装置において、
前記複数の電気接点部のうち少なくとも1つは、電源又はデータ源へ電気的に連結されている機器取り付け装置。
【請求項１７】
請求項１３に記載の機器取り付け装置において、
前記複数の電気ワイパは、電源へ電気的に連結されている電気ワイパのサブセット及びデータ源又は複数データ源へ電気的に連結される電気ワイパの共存するサブセットを有する機器取り付け装置。
【請求項１８】
請求項１３に記載の機器取り付け装置において、
前記取付台は、解放機構であって、
前記取り付け板を貫いて配置されていて前記後面から外向きに延びるロックピンと、
前記ロックピンへ動作可能に接続されている少なくとも１つの被解放ロックピンと、を備える解放機構を更に備える機器取り付け装置。
【手続補正２】
【補正対象書類名】明細書
【補正対象項目名】０００６
【補正方法】変更
【補正の内容】
【０００６】
【図１】[0007]ここに示され説明されている１つ又はそれ以上の実施形態による電化機器取り付けシステムでの使用のための軌道の前面図を描いている。
【図２】[0008]ここに示され説明されている１つ又はそれ以上の実施形態による軌道の側面図を描いている。
【図３】[0009]ここに示され説明されている１つ又はそれ以上の実施形態による複数の電気接点部を有する軌道の斜視図である。
【図４】[0010]ここに示され説明されている１つ又はそれ以上の実施形態による、機器へ付着された取付台の斜視図である。
【図５】[0011]ここに示され説明されている１つ又はそれ以上の実施形態による図１の軌道と図３の取付台の間の相互作用を示している。
【図６】[0011]図５と共に図１の軌道と図３の取付台の間の相互作用を示している。
【図７】[0012]ここに示され説明されている１つ又はそれ以上の実施形態による、一体にロックされた取付台と軌道の側面図である。
【図８】[0013]ここに示され説明されている１つ又はそれ以上の実施形態による取付台を使用して軌道へ付着された機器を描いている。
【図９】[0014]ここに示され説明されている１つ又はそれ以上の実施形態による電気アダプタの斜視図を描いている。
【図１０】[0015]ここに示され説明されている１つ又はそれ以上の実施形態による、軌道へ付着されていて取付台へ電気的に連結されている電気アダプタを示している。
【図１１】[0016]ここに示され説明されている１つ又はそれ以上の実施形態による電気アダプタの第２の実施形態を示している。
【図１２】[0017]ここに示され説明されている１つ又はそれ以上の実施形態による、軌道へ付着されていて取付台へ電気的に連結されている電気アダプタの第２の実施形態を描いている。
【図１３】図１３は、軌道の代わりとしての定位板の斜視前面図である。
【図１４】図１４は、複数の目標開口領域及び非目標開口領域を有する軌道を描いている。
【図１５】図１５は、複数のロック穴を有する軌道を描いている。
【図１６】図１６は、図１４に示されている中央スロット無しの軌道を描いている。
【手続補正３】
【補正対象書類名】明細書
【補正対象項目名】００１０
【補正方法】変更
【補正の内容】
【００１０】
[0021]軌道１０は、電源（図示せず）及び／又はデータ源又は複数データ源（図示せず）へ電気的に連結されている複数の電気接点部４５を有していてもよい。複数の電気接点部４５は、複数のスロットに実質的に平行であり、裏打板１５に沿って何れかの長さに延びていてもよい。幾つかの実施形態では、複数の電気接点部は、電気伝導性の条片又は図１３に示されている複数のパッド２８１であってもよい。複数の電気接点部４５はどれもが電源へ電気的に連結されていてもよいし、又はそれらはどれもがデータ源又は複数データ源へ電気的に連結されていてもよい。代わりに、複数の電気接点部４５は、電源へ電気的に連結されている電気接点部のサブセット及びデータ源又は複数データ源へ電気的に連結されている電気接点部の共存するサブセットを有していてもよい。電気接点部４５は複数のスロット２０、２５、及び３０に実質的に平行であるものとして示されているが、例えば非平行な向き付け、プラグ型式の接点部、など、の様な他の構成も実施可能であると理解している。
【手続補正４】
【補正対象書類名】明細書
【補正対象項目名】００２１
【補正方法】変更
【補正の内容】
【００２１】
[0032]電気伝導体１７５は複数の第２電気端子１７０と電気的に連結している。複数の第２電気端子１７０はコネクタ板１６５上に取り付けられていてもよい。幾つかの実施形態では、複数の第２電気端子１７０は、電気アダプタ１６０の前面１９０側の第２端子ハウジング１９５に設けられていてもよい。幾つかの実施形態では、複数の第２電気端子１７０は、ハンドル１８５が着座位置にあるときには前面１９０から突き出ることができ、ハンドル１８５が非着座位置にあるときには陥没するようになっていてもよい。
【手続補正５】
【補正対象書類名】明細書
【補正対象項目名】００２３
【補正方法】変更
【補正の内容】
【００２３】
[0034]図１１は、電気伝導体１７５が図１に示されている軌道１０の中央スロット２５を電気伝導体１７５を管理及び固定するための配線管として使用している電気アダプタ１６０の別の実施形態を示している。電気伝導体１７５は、コネクタ板１６５の第１面１６１から突き出ている。電気伝導体１７５は、第１面１６１の３つのスロット２０、２５、又は３０の何れかの配線管としての使用を可能にさせる何れかの場所から突き出ているものと理解されたい。１つより多い電気伝導体１７５が第１面１６１から突き出ていてもよい。アダプタロックピン２０５は、第１面１６１から図９で説明されている様にロック位
置又は伸展位置に突き出ていることが示されている。アダプタロックピン２０５は、図４に示されている取付台７０のロックピン１１０と同様の機能を果たす。電気伝導体１７５は複数の第２電気端子１７０と電気的に連結している。
【手続補正６】
【補正対象書類名】図面
【補正対象項目名】図４
【補正方法】変更
【補正の内容】
【図４】
2017208354.tif 000019
【手続補正７】
【補正対象書類名】図面
【補正対象項目名】図７
【補正方法】変更
【補正の内容】
【図７】
2017208354.tif 000020
【手続補正８】
【補正対象書類名】図面
【補正対象項目名】図１３
【補正方法】変更
【補正の内容】
【図１３】
2017208354.tif 000021
【外国語明細書】
2017208354000001.pdf